(57)【特許請求の範囲】
【請求項１】
チャネル状態情報を取得するために１つまたは複数のノードと通信し、前記通信することは、
要求された応答者のリストを含むトレーニング要求メッセージ（ＴＲＭ）を送信することと、
要求された応答者の前記リスト中の応答者としての前記複数のノードのうちの１つの識別情報を含む応答を受信することと、
を備え、前記ＴＲＭは、前記応答者からの前記応答の送信を保護するために設定すべきＮＡＶ（Network Allocation Vector）期間を含み、
前記チャネル状態情報からコーディング行列を構築し、
前記コーディング行列を用いて複数のデータストリームを符号化し、
ＣＴＳ（clear to send）フレームを送信し、
前記符号化されたデータストリームを前記リストからの前記１つまたは複数のノードに送信する
ように構成された処理システムを備え、
前記ＣＴＳフレームは、前記符号化されたデータストリームの前記送信を保護するために設定すべき別のＮＡＶ期間を含む、ワイヤレス通信のための装置。
【請求項２】
前記コーディング行列の前記構築は、
前記１つまたは複数のノードを複数のノードサブセットにグループ化することと、
各ノードサブセットについてコーディング行列を作成することと、
を備える、請求項１に記載の装置。
【請求項３】
前記送信は、
前記符号化されたデータストリームのうちの少なくとも１つを第１のノードサブセットに送信することと、
前記符号化されたデータストリームのうちの少なくとも１つを第２のノードサブセットに送信することと、
を備え、前記送信は時間期間によって分離される、請求項１に記載の装置。
【請求項４】
前記複数のノードサブセット中の１つのノードサブセットは、ビームフォーミングを使用して前記装置と通信するように構成された単一のノードを備える、請求項２に記載の装置。
【請求項５】
前記ＴＲＭは競合ベースのバックオフプロシージャを使用して送信される、請求項１に記載の装置。
【請求項６】
前記通信は、
前記１つまたは複数のノードのそれぞれから前記応答としてサウンディングフレームを受信することと、
前記サウンディングフレームから、前記１つまたは複数のノードのそれぞれについて前記チャネル状態情報を推定することと、
を備える請求項１に記載の装置。
【請求項７】
前記処理システムは、前記１つまたは複数のノードのそれぞれが当該ノードのチャネル状態情報を推定することを可能にするために、サウンディングフレームを生成するようにさらに構成された、請求項１に記載の装置。
【請求項８】
前記処理システムは、前記１つまたは複数のノードのそれぞれから前記応答として前記チャネル状態情報を受信するようにさらに構成された、請求項１に記載の装置。
【請求項９】
前記処理システムは、前記符号化されたデータストリームの前記送信の前に、前記符号化されたデータストリーム送信完了まで前記別のＮＡＶ期間を設定するための前記ＣＴＳフレームを送信するように構成された、請求項１に記載の装置。
【請求項１０】
前記データストリーム送信の一部分は、前記データストリームおよびＭＣＳの送信を前記１つまたは複数のノードにシグナリングするために使用される、請求項１に記載の装置。
【請求項１１】
前記処理システムは、前記データストリームの前記送信に続いて、前記１つまたは複数のノードのそれぞれから確認応答（Acknowledgement）を受信するようにさらに構成された、請求項１に記載の装置。
【請求項１２】
前記１つまたは複数のノードからの前記確認応答は同時に受信される、請求項１１に記載の装置。
【請求項１３】
前記データストリーム送信の一部分は、前記データストリーム送信に続く、前記１つまたは複数のノードのそれぞれからの前記確認応答の前記送信の送信スケジュールをさらに備える、請求項１１に記載の装置。
【請求項１４】
前記送信スケジュールは、前記１つまたは複数のノードのそれぞれからの前記確認応答の送信のための時間情報、空間情報および周波数情報のうちの少なくとも１つを備える、請求項１３に記載の装置。
【請求項１５】
チャネル状態情報を取得するために１つまたは複数のノードと通信する手段と、前記通信する手段は、
要求された応答者のリストを含むトレーニング要求メッセージ（ＴＲＭ）を送信し、
要求された応答者の前記リスト中の応答者としての前記複数のノードのうちの１つの識別情報を含む応答を受信するように構成され、前記ＴＲＭは、前記応答者からの前記応答の送信を保護するために設定すべきＮＡＶ（Network Allocation Vector）期間を含み、
前記チャネル状態情報からコーディング行列を構築する手段と、
前記コーディング行列を用いて複数のデータストリームを符号化する手段と、
ＣＴＳ（clear to send）フレームを送信する手段と、
前記符号化されたデータストリームを前記リストからの前記１つまたは複数のノードに送信する手段と、
を備え、
前記ＣＴＳフレームは、前記符号化されたデータストリームの前記送信を保護するために設定すべき別のＮＡＶ期間を含む、ワイヤレス通信のための装置。
【請求項１６】
前記構築手段は、
前記１つまたは複数のノードを複数のノードサブセットにグループ化する手段と、
各ノードサブセットについてコーディング行列を作成する手段と、
を備える、請求項１５に記載の装置。
【請求項１７】
前記送信手段は、
前記符号化されたデータストリームのうちの少なくとも１つを第１のノードサブセットに送信する手段と、
前記符号化されたデータストリームのうちの少なくとも１つを第２のノードサブセットに送信する手段と、
を備え、前記送信は時間期間によって分離される、請求項１６に記載の装置。
【請求項１８】
前記複数のノードサブセット中の１つのノードサブセットは、ビームフォーミングを使用して前記装置と通信するように構成された単一のノードを備える、請求項１６に記載の装置。
【請求項１９】
前記ＴＲＭは、競合ベースのバックオフプロシージャを使用して送信される、請求項１５に記載の装置。
【請求項２０】
前記通信手段は、
前記１つまたは複数のノードのそれぞれから前記応答としてサウンディングフレームを受信する手段と、
前記サウンディングフレームから、前記１つまたは複数のノードのそれぞれの前記チャネル状態情報を推定する手段と、
を備える、請求項１５に記載の装置。
【請求項２１】
前記１つまたは複数のノードのそれぞれが当該ノードのチャネル状態情報を推定することを可能にするために、サウンディングフレームを生成する手段をさらに備える、請求項１５に記載の装置。
【請求項２２】
前記１つまたは複数のノードのそれぞれから前記応答として前記チャネル状態情報を受信する手段をさらに備える、請求項１５に記載の装置。
【請求項２３】
前記符号化されたデータストリームの前記送信の前に、前記符号化されたデータストリーム送信完了まで前記別のＮＡＶ期間を設定するために前記ＣＴＳフレームは送信される、請求項１５に記載の装置。
【請求項２４】
前記データストリーム送信の一部分は、前記データストリームおよびＭＣＳの送信を前記１つまたは複数のノードにシグナリングするために使用される、請求項１５に記載の装置。
【請求項２５】
前記データストリームの前記送信に続いて、前記１つまたは複数のノードのそれぞれから確認応答（Acknowledgement）を受信する手段をさらに備える、請求項１５に記載の装置。
【請求項２６】
前記１つまたは複数のノードからの前記確認応答は同時に受信される、請求項２５に記載の装置。
【請求項２７】
前記データストリーム送信の一部分は、前記データストリーム送信に続く、前記１つまたは複数のノードのそれぞれからの前記確認応答の前記送信の送信スケジュールをさらに備える、請求項２５に記載の装置。
【請求項２８】
前記送信スケジュールは、前記１つまたは複数のノードのそれぞれからの前記確認応答の送信のための時間情報、空間情報および周波数情報のうちの少なくとも１つを備える、請求項２７に記載の装置。
【請求項２９】
チャネル状態情報を取得するために１つまたは複数のノードと通信することと、前記通信することは、
要求された応答者のリストを含むトレーニング要求メッセージ（ＴＲＭ）を送信することと、
要求された応答者の前記リスト中の応答者としての前記複数のノードのうちの１つの識別情報を含む応答を受信することと、
を備え、前記ＴＲＭは、前記応答者からの前記応答の送信を保護するために設定すべきＮＡＶ（Network Allocation Vector）期間を含み、
前記チャネル状態情報からコーディング行列を構築することと、
前記コーディング行列を用いて複数のデータストリームを符号化することと、
ＣＴＳ（clear to send）フレームを送信することと、
前記符号化されたデータストリームを前記リストからの前記１つまたは複数のノードに送信することと、
を備え、
前記ＣＴＳフレームは、前記符号化されたデータストリームの前記送信を保護するために設定すべき別のＮＡＶ期間を含む、ワイヤレス通信のための方法。
【請求項３０】
前記コーディング行列の前記構築は、
前記１つまたは複数のノードを複数のノードサブセットにグループ化することと、
各ノードサブセットについてコーディング行列を作成することと、
を備える請求項２９に記載の方法。
【請求項３１】
前記符号化されたデータストリームのうちの少なくとも１つを第１のノードサブセットに送信することと、
前記符号化されたデータストリームのうちの少なくとも１つを第２のノードサブセットに送信することと、
をさらに備え、前記送信は時間期間によって分離される、請求項３０に記載の方法。
【請求項３２】
前記複数のノードサブセット中の１つのノードサブセットは、ビームフォーミングを使用して通信するように構成された単一のノードを備える、請求項３０に記載の方法。
【請求項３３】
前記ＴＲＭは、競合ベースのバックオフプロシージャを使用して送信される、請求項２９に記載の方法。
【請求項３４】
前記通信は、
前記１つまたは複数のノードのそれぞれから前記応答としてサウンディングフレームを受信することと、
前記サウンディングフレームから、前記１つまたは複数のノードのそれぞれの前記チャネル状態情報を推定することと、
を備える、請求項２９に記載の方法。
【請求項３５】
前記１つまたは複数のノードのそれぞれが当該ノードのチャネル状態情報を推定することを可能にするために、サウンディングフレームを生成することをさらに備える、請求項２９に記載の方法。
【請求項３６】
前記１つまたは複数のノードのそれぞれから前記応答として前記チャネル状態情報を受信することをさらに備える、請求項２９に記載の方法。
【請求項３７】
前記符号化されたデータストリームの前記送信の前に、前記符号化されたデータストリーム送信完了まで前記別のＮＡＶ期間を設定するために前記ＣＴＳフレームは送信される、請求項２９に記載の方法。
【請求項３８】
前記データストリーム送信の一部分は、前記データストリームおよびＭＣＳの送信を前記１つまたは複数のノードにシグナリングするために使用される、請求項２９に記載の方法。
【請求項３９】
前記データストリームの前記送信に続いて、前記１つまたは複数のノードのそれぞれから確認応答（Acknowledgement）を受信することをさらに備える、請求項２９に記載の方法。
【請求項４０】
前記１つまたは複数のノードからの前記確認応答は同時に受信される、請求項３９に記載の方法。
【請求項４１】
前記データストリーム送信の一部分は、前記データストリーム送信に続く、前記１つまたは複数のノードのそれぞれからの前記確認応答の前記送信の送信スケジュールをさらに備える、請求項３９に記載の方法。
【請求項４２】
前記送信スケジュールは、前記１つまたは複数のノードのそれぞれからの前記確認応答の送信のための時間情報、空間情報および周波数情報のうちの少なくとも１つを備える、請求項４１に記載の方法。
【請求項４３】
チャネル状態情報を取得するために１つまたは複数のノードと通信することと、前記通信することは、
要求された応答者のリストを含むトレーニング要求メッセージ（ＴＲＭ）を送信することと、
要求された応答者の前記リスト中の応答者としての前記複数のノードのうちの１つの識別情報を含む応答を受信することと、
を備え、前記ＴＲＭは、前記応答者からの前記応答の送信を保護するために設定すべきＮＡＶ（Network Allocation Vector）期間を含み、
前記チャネル状態情報からコーディング行列を構築することと、
前記コーディング行列を用いて複数の空間ストリームを符号化することと、
ＣＴＳ（clear to send）フレームを送信し、
前記符号化されたデータストリームを前記リストからの前記１つまたは複数のノードに送信することと、
を処理システムに実行させる命令を備え、
前記ＣＴＳフレームは、前記符号化されたデータストリームの前記送信を保護するために設定すべき別のＮＡＶ期間を含む、コンピュータプログラム。
【請求項４４】
１つまたは複数のアンテナと、
チャネル状態情報を取得するために１つまたは複数のノードと通信し、ここで前記通信することは、要求された応答者のリストを含むトレーニング要求メッセージ（ＴＲＭ）を送信することと、要求された応答者の前記リスト中の応答者としての前記複数のノードのうちの１つの識別情報を含む応答を受信することと、を含み、前記ＴＲＭは、前記応答者からの前記応答の送信を保護するために設定すべきＮＡＶ（Network Allocation Vector）期間を含み、
前記チャネル状態情報からコーディング行列を構築し、
前記コーディング行列を用いて複数の空間ストリームを符号化し、
ＣＴＳ（clear to send）フレームを送信するように構成された処理システムと、
前記１つまたは複数のアンテナを介して、前記符号化された空間ストリームを前記リストからの前記１つまたは複数のノードに送信するように構成された送信機と、
を備え、
前記ＣＴＳフレームは、前記符号化されたデータストリームの前記送信を保護するために設定すべき別のＮＡＶ期間を含む、アクセスポイント。
【請求項４５】
チャネル状態情報を取得するために１つまたは複数のノードと通信し、前記通信することは、
要求された応答者のリストを含むトレーニング要求メッセージ（ＴＲＭ）を送信することと、
要求された応答者の前記リスト中の応答者としての前記複数のノードのうちの１つの識別情報を含む応答を受信することと、
を備え、前記ＴＲＭは、前記応答者からの前記応答の送信を保護するために設定すべきＮＡＶ（Network Allocation Vector）期間を含み、
前記チャネル状態情報からコーディング行列を構築し、前記コーディング行列を用いて複数の空間ストリームを符号化し、
ＣＴＳ（clear to send）フレームを送信するように構成された処理システムと、
複数のアンテナを通して、前記リストからの前記１つまたは複数のノードに前記符号化された空間ストリームを送信するように構成された送信機と、
を備え、
前記ＣＴＳフレームは、前記符号化されたデータストリームの前記送信を保護するために設定すべき別のＮＡＶ期間を含む、電子カード。
【請求項４６】
ワイヤレス通信のための装置であって、
送信ノードから、要求された応答者のリストを備えるトレーニング要求メッセージ（ＴＲＭ）を受信し、
前記ＴＲＭに基づいて、要求された応答者の前記リスト中の応答者としての前記装置の識別情報を含む応答を生成し、
前記応答を送信し、
第１のＣＴＳ（clear to send）フレームを受信するように構成された処理システムを備え、
前記ＴＲＭは、前記応答者からの前記応答の送信を保護するために設定すべき第１のＮＡＶ（Network Allocation Vector）期間を含み、
前記第１のＣＴＳフレームは、前記送信ノードからの符号化されたデータストリームの送信を保護するために設定すべき第２のＮＡＶ期間を含む、装置。
【請求項４７】
前記ＴＲＭはサウンディングフレームの要求を備える、請求項４６に記載の装置。
【請求項４８】
前記応答は前記サウンディングフレームを備える、請求項４７に記載の装置。
【請求項４９】
前記要求は複数の送信パラメータを備え、前記サウンディングフレームは前記複数の送信パラメータに基づいて送信される、請求項４８に記載の装置。
【請求項５０】
前記ＴＲＭはチャネル状態情報の要求を備える、請求項４６に記載の装置。
【請求項５１】
前記処理システムは、さらに、前記応答を送信する前に、前記応答の送信を保護するために設定すべき第３のＮＡＶ期間を含む第２のＣＴＳ（Clear to Send）フレームを送信するように構成された、
請求項４６に記載の装置。
【請求項５２】
前記ＴＲＭはサウンディングフレームを備える、請求項４６記載の装置。
【請求項５３】
前記処理システムは、
前記サウンディングフレームからチャネル状態情報を推定し、
前記チャネル状態情報を送信する
ようにさらに構成された、請求項５２に記載の装置。
【請求項５４】
ワイヤレス通信のための装置であって、
送信ノードから、要求された応答者のリストを備えるトレーニング要求メッセージ（ＴＲＭ）を受信する手段と、
前記ＴＲＭに基づいて、要求された応答者の前記リスト中の応答者としての前記装置の識別情報を含む応答を生成する手段と、
前記応答を送信する手段と、
第１のＣＴＳ（clear to send）フレームを受信する手段と、
を備え、前記ＴＲＭは、前記応答者からの前記応答の送信を保護するために設定すべき第１のＮＡＶ（Network Allocation Vector）期間を含み、
前記第１のＣＴＳフレームは、前記送信ノードからの符号化データストリームの送信を保護するために設定すべき第２のＮＡＶ期間を含む、装置。
【請求項５５】
前記ＴＲＭはサウンディングフレームの要求を備える、請求項５４に記載の装置。
【請求項５６】
前記応答は前記サウンディングフレームを備える、請求項５５に記載の装置。
【請求項５７】
前記要求は複数の送信パラメータを備え、前記サウンディングフレームは前記複数の送信パラメータに基づいて送信される、請求項５６に記載の装置。
【請求項５８】
前記ＴＲＭはチャネル状態情報の要求を備える、請求項５４に記載の装置。
【請求項５９】
前記応答を送信する前に、前記応答の送信を保護するために設定すべき第３のＮＡＶ期間を含む第２のＣＴＳ（Clear to Send）フレームを送信する手段を、さらに備える請求項５４に記載の装置。
【請求項６０】
前記ＴＲＭはサウンディングフレームを備える、請求項５４に記載の装置。
【請求項６１】
前記サウンディングフレームからチャネル状態情報を推定する手段と、
前記チャネル状態情報を送信する手段と、
をさらに備える、請求項６０に記載の装置。
【請求項６２】
ワイヤレス通信のための方法であって、
送信ノードから、要求された応答者のリストを備えるトレーニング要求メッセージ（ＴＲＭ）を受信することと、
前記ＴＲＭに基づいて、要求された応答者の前記リスト中の応答者の識別情報を含む応答を生成することと、
前記応答を送信することと、
第１のＣＴＳ（clear to send）フレームを受信することと、
を備え、前記ＴＲＭは、前記応答者からの前記応答の送信を保護するために設定すべき第１のＮＡＶ（Network Allocation Vector）期間を含み、
前記第１のＣＴＳフレームは、前記送信ノードからの符号化データストリームの送信を保護するために設定すべき第２のＮＡＶ期間を含む、方法。
【請求項６３】
前記ＴＲＭはサウンディングフレームの要求を備える、請求項６２に記載の方法。
【請求項６４】
前記応答は前記サウンディングフレームを備える、請求項６３に記載の方法。
【請求項６５】
前記要求は複数の送信パラメータを備え、前記サウンディングフレームは前記複数の送信パラメータに基づいて送信される、請求項６４に記載の方法。
【請求項６６】
前記ＴＲＭはチャネル状態情報の要求を備える、請求項６２に記載の方法。
【請求項６７】
前記応答を送信する前に、前記応答の送信を保護するために設定すべき第３のＮＡＶ期間を含む第２のＣＴＳ（Clear to Send）フレームを送信すること、をさらに備える、請求項６２に記載の方法。
【請求項６８】
前記ＴＲＭはサウンディングフレームを備える、請求項６２に記載の方法。
【請求項６９】
前記サウンディングフレームからチャネル状態情報を推定することと、
前記チャネル状態情報を送信することと、
をさらに備える、請求項６８に記載の方法。
【請求項７０】
送信ノードから、要求された応答者のリストを備えるトレーニング要求メッセージ（ＴＲＭ）を受信することと、
前記ＴＲＭに基づいて、要求された応答者の前記リスト中の応答者の識別情報を含む応答を生成することと、
前記応答を送信することと、
第１のＣＴＳ（clear to send）フレームを受信することと、
を処理システムに実行させる命令を備え、前記ＴＲＭは、前記応答者からの前記応答の送信を保護するために設定すべき第１のＮＡＶ（Network Allocation Vector）期間を含み、
前記第１のＣＴＳフレームは、前記送信ノードからの符号化データストリームの送信を保護するために設定すべき第２のＮＡＶ期間を含む、コンピュータプログラム。
【請求項７１】
アクセス端末であって、
アンテナと、
送信ノードから、前記アンテナを介して、要求された応答者のリストを備えるトレーニング要求メッセージ（ＴＲＭ）を受信するように構成された受信機と、
前記ＴＲＭに基づいて、要求された応答者の前記リスト中の応答者としての前記アクセス端末の識別情報を含む応答を生成するように構成された処理システムと、
前記応答を送信するように構成された送信機と、
を備え、
前記受信機はさらに第１のＣＴＳ（clear to send）フレームを受信するように構成され、
前記ＴＲＭは、前記応答者からの前記応答の送信を保護するために設定すべき第１のＮＡＶ（Network Allocation Vector）期間を含み、
前記第１のＣＴＳフレームは、前記送信ノードからの符号化データストリームの送信を保護するために設定すべき第２のＮＡＶ期間を含む、アクセス端末。
【発明の詳細な説明】
【優先権の主張】
【０００１】
関連出願の相互参照
米国特許法第１１９条に基づく優先権の主張
本特許出願は、本出願の譲受人に譲渡され、参照により明確に本明細書に組み込まれる、２００９年２月２７日に出願された「Protocol Operation and Message Design for SDMA Data Transmission to a Plurality of Stations」と題する仮出願第６１／１５６，３８７号の優先権を主張する。
【技術分野】
【０００２】
以下の説明は、一般に通信システムに関し、より詳細には、複数の局のためのＳＤＭＡ演算およびメッセージシステムに関する。
【背景技術】
【０００３】
ワイヤレス通信システムに要求される帯域幅要件の増加の問題に対処するために、高いデータスループットを達成しながら、複数のユーザ端末がチャネルリソースを共有することによって単一のアクセスポイントと通信することを可能にするために、様々な方式が開発されている。多入力または多出力（ＭＩＭＯ）技術は、次世代通信システムのための普及している技法として最近現れたアプローチの１つを表す。ＭＩＭＯ技術は、米国電気電子技術者協会（ＩＥＥＥ）８０２．１１規格など、いくつかの新たなワイヤレス通信規格において採用されている。ＩＥＥＥ８０２．１１は、（たとえば、数十メートルから数百メートルの）短距離通信用にＩＥＥＥ８０２．１１委員会によって開発された１組のワイヤレスローカルエリアネットワーク（ＷＬＡＮ）エアインターフェース規格である。
【０００４】
通信システムでは、媒体アクセス制御（ＭＡＣ）プロトコルは、エアリンク媒体によって提供されるいくつかの自由度を利用するように動作するように設計される。最も一般的に利用される自由度は時間および周波数である。たとえば、ＩＥＥＥ８０２．１１ＭＡＣプロトコルにおいて、「時間」自由度はＣＳＭＡ（キャリア検知多重アクセス）を通して利用される。ＣＳＭＡプロトコルは、潜在的な高い干渉の近傍において２つ以上の送信が行われないことを保証しようと試みる。「周波数」自由度は、異なるチャネルを使用することによって利用され得る。
【０００５】
最近の発展は、実行可能なオプションである空間次元をもたらした。空間分割多元接続（ＳＤＭＡ）は、同時送信および受信のために複数の端末をスケジュールすることによってエアリンクの利用を改善するために使用できる。データは、空間ストリームを使用して端末の各々に送信される。たとえば、空間分割多元接続（ＳＤＭＡ）を用いて、送信機は個々の受信機への直交ストリームを形成する。送信機はいくつかのアンテナを有し、送信／受信チャネルはいくつかの経路からなるので、そのような直交ストリームが形成され得る。受信機はまた、１つまたは複数のアンテナを有することができる（ＭＩＭＯ、ＳＩＭＯ）。この例では、送信機がアクセスポイント（ＡＰ）であり、受信機が局（ＳＴＡ）であると仮定される。ストリームは、たとえば、ＳＴＡ−Ｂにターゲッティングされたストリームが、ＳＴＡ−Ｃ、ＳＴＡ−Ｄ、…、などにおいて低電力干渉と見なされるように形成されて、重大な干渉を引き起こさず、無視されない。直交ストリームを形成するために、ＡＰは、受信ＳＴＡの各々からのチャネル状態情報（ＣＳＩ）を有する必要がある。チャネル状態情報は、いくつかの方法で測定および通信できる。ＣＳＩの使用はＳＤＭＡストリームの構成を可能にする。
【０００６】
したがって、上記の欠点のうちの１つまたは複数に対処することが望ましいであろう。
【発明の概要】
【０００７】
以下で、１つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、１つまたは複数の態様のいくつかの概念を簡略化された形で提示することである。
【０００８】
様々な態様によれば、本発明は、ワイヤレス通信を提供するシステムおよび／または方法に関し、ワイヤレス通信のための装置は、チャネル状態情報からコーディング行列を構築し、コーディング行列を用いて複数のデータストリームを符号化し、符号化されたデータストリームを１つまたは複数のノードに送信するように構成された処理システムを含む。
【０００９】
別の態様では、チャネル状態情報からコーディング行列を構築するための手段と、コーディング行列を用いて複数のデータストリームを符号化するための手段と、符号化されたデータストリームを１つまたは複数のノードに送信するための手段とを含む、ワイヤレス通信のための装置が提供される。
【００１０】
さらに別の態様では、チャネル状態情報からコーディング行列を構築することと、コーディング行列を用いて複数のデータストリームを符号化することと、符号化されたデータストリームを１つまたは複数のノードに送信することとを含む、ワイヤレス通信のための方法が提供される。
【００１１】
さらに別の態様では、チャネル状態情報からコーディング行列を構築することと、コーディング行列を用いて複数のデータストリームを符号化することと、符号化されたデータストリームを１つまたは複数のノードに送信することとが実行可能な命令で符号化された機械可読媒体を含む、通信のためのコンピュータプログラム製品が提供される。
【００１２】
さらに別の態様では、１つまたは複数のアンテナと、チャネル状態情報からコーディング行列を構築し、コーディング行列を用いて複数のデータストリームを符号化するように構成された処理システムと、１つまたは複数のアンテナを介して、符号化された空間ストリームを、該複数のアンテナを通して１つまたは複数のノードに送信するように構成された送信機とを含むアクセスポイントが提供される。
【００１３】
さらに別の態様では、チャネル状態情報からコーディング行列を構築し、コーディング行列を用いて複数の空間ストリームを符号化するように構成された処理システムと、符号化された空間ストリームを、複数のアンテナを通して送信するように構成された送信機とを含む電子カードが提供される。
【００１４】
さらに別の態様では、要求された応答者のリストを備えるＴＲＭを受信し、ＴＲＭに基づいて、要求された応答者のリスト中の応答者としての装置の識別情報を備える応答を生成し、該応答を送信するように構成された処理システムを含む、ワイヤレス通信のための装置が提供される。
【００１５】
さらに別の態様では、要求された応答者のリストを備えるＴＲＭを受信するための手段と、ＴＲＭに基づいて、要求された応答者のリスト中の応答者としての装置の識別情報を備える応答を生成するための手段と、応答を送信するための手段とを含む、ワイヤレス通信のための装置が提供される。
【００１６】
さらに別の態様では、要求された応答者のリストを備えるＴＲＭを受信することと、ＴＲＭに基づいて、要求された応答者のリスト中の応答者の識別情報を備える応答を生成すること、応答を送信することとを含む、ワイヤレス通信のための方法が提供される。
【００１７】
さらに別の態様では、要求された応答者のリストを備えるＴＲＭを受信することと、ＴＲＭに基づいて、要求された応答者のリスト中の応答者の識別情報を備える応答を生成することと、応答を送信することとが実行可能な命令を備える機械可読媒体を備える、通信のためのコンピュータプログラム製品が提供される。
【００１８】
さらに別の態様では、アンテナと、アンテナを介して、要求された応答者のリストを備えるＴＲＭを受信するように構成された受信機と、ＴＲＭに基づいて、要求された応答者のリスト中の応答者としての装置の識別情報を備える応答を生成するように構成された処理システムと、応答を送信するように構成された送信機とを含むアクセス端末が提供される。
【００１９】
上記および関連する目的を達成するために、１つまたは複数の態様は、以下で十分に説明し、特に特許請求の範囲で指摘する特徴を備える。以下の説明および添付の図面に１つまたは複数の態様のうちのいくつかの例示的な態様を詳細に記載する。ただし、これらの態様は、様々な態様の原理を使用することができる様々な方法のほんのいくつかを示すものであり、説明する態様は、すべてのそのような態様およびそれらの均等物を含むものとする。
【図面の簡単な説明】
【００２０】
【図１】本開示の一態様に従って構成されたワイヤレス通信ネットワークの図。
【図２】図１のワイヤレス通信ネットワークにおけるワイヤレスノード中のフロントエンド処理システムを含むワイヤレスノードの図。
【図３】本開示の一態様に従って構成されたＴＲＭフレームの図。
【図４】図３のＴＲＭフレームフォーマットに基づく、暗黙的フィードバックをもつＳＤＭＡプロトコルの動作を示すタイミング図。
【図５】複数のＣＴＳ（clear to send、受信準備完了）送信の同時送信を含む、図３のＴＲＭフレームフォーマットに基づく、暗黙的フィードバックをもつＳＤＭＡプロトコルの動作を示すタイミング図。
【図６】複数のＣＴＳ（clear to send、受信準備完了）送信の連続送信を含む、図３のＴＲＭフレームフォーマットに基づく、暗黙的フィードバックをもつＳＤＭＡプロトコルの動作を示すタイミング図。
【図７】図３のＴＲＭフレームフォーマットに基づく、明示的ＣＳＩフィードバックをもつＳＤＭＡプロトコルの動作を示すタイミング図。
【図８】ＳＤＭＡプリアンブルと、図３のＴＲＭフレーム中に含まれている情報に基づく空間ストリーム割当てによって判断される制御情報とを含むサウンディングフレームの図。
【図９】本開示の一態様による、データストリームを符号化するための装置の機能を示すブロック図。
【図１０】本開示の一態様による、チャネル情報を戻すための装置の機能を示すブロック図。
【発明を実施するための形態】
【００２１】
添付の図面を参照しながら新規のシステム、装置および方法の様々な態様について以下でより十分に説明する。ただし、本開示の教示は、多くの異なる形態で実施できるものであり、本開示全体にわたって提示する任意の特定の構造または機能に限定されるものと解釈すべきではない。むしろ、これらの態様は、本開示が周到で完全になり、本開示の範囲を当業者に十分に伝えるために与えるものである。本明細書の教示に基づいて、本開示の範囲は、本発明の他の態様とは無関係に実装されるにせよ、本開示の他の態様と組み合わせて実装されるにせよ、本明細書で開示する新規のシステム、装置および方法のいかなる態様をもカバーするものであることを、当業者なら諒解されたい。たとえば、本明細書に記載の態様をいくつ使用しても、装置を実現し、または方法を実施することができる。さらに、本発明の範囲は、本明細書に記載の本発明の様々な態様に加えてまたはそれらの態様以外に、他の構造、機能、または構造および機能を使用して実施されるそのような装置またはそのような方法をカバーするものとする。本明細書で開示する任意の態様が請求項の１つまたは複数の要素によって実施できることを理解されたい。
【００２２】
次に、図１を参照しながら、ワイヤレスネットワークのいくつかの態様を提示する。本明細書で基本サービスセット（ＢＳＳ）１００とも呼ばれるワイヤレスネットワークは、概して、アクセスポイント１１０および複数のアクセス端末または局（ＳＴＡ）１２０として示される、いくつかのワイヤレスノードとともに示される。各ワイヤレスノードは、受信および／または送信することが可能である。以下の発明を実施するための形態では、ダウンリンク通信では、「アクセスポイント」という用語は送信ノードを示すために使用され、「アクセス端末」という用語は受信ノードを示すために使用されるが、アップリンク通信では、「アクセスポイント」という用語は受信ノードを示すために使用され、「アクセス端末」という用語は送信ノードを示すために使用される。しかしながら、アクセスポイントおよび／またはアクセス端末のために他の用語または名称が使用され得ることを、当業者なら容易に理解するであろう。例として、アクセスポイントは、基地局、送受信基地局、局、端末、ノード、アクセスポイントとして働くアクセス端末、または何らかの他の好適な用語で呼ばれることがある。アクセス端末は、ユーザ端末、移動局、加入者局、局、ワイヤレスデバイス、端末、ノード、または何らかの他の好適な用語で呼ばれることがある。本開示全体にわたって説明する様々な概念は、ワイヤレスノードの固有の名称にかかわらず、すべての好適なワイヤレスノードに当てはまるものである。
【００２３】
ワイヤレスネットワーク１００は、アクセス端末１２０のためのカバレージを提供するために、地理的領域全体にわたって分散される任意の数のアクセスポイントをサポートすることができる。システムコントローラ１３０は、アクセスポイントの調整および制御を行うため、ならびにアクセス端末１２０が他のネットワーク（たとえば、インターネット）にアクセスするために使用できる。簡単のために、１つのアクセスポイント１１０を示してある。アクセスポイントは、一般に、カバレージの地理的領域中のアクセス端末にバックホールサービスを提供する固定端末である。しかしながら、アクセスポイントは、いくつかの適用例ではモバイルであり得る。固定またはモバイルであり得るアクセス端末は、アクセスポイントのバックホールサービスを利用するか、または他のアクセス端末とのピアツーピア通信に関与する。アクセス端末の例は、電話（たとえば、セルラー電話）、ラップトップコンピュータ、デスクトップコンピュータ、携帯情報端末（ＰＤＡ）、デジタルオーディオプレーヤ（たとえば、ＭＰ３プレーヤ）、カメラ、ゲーム機、または他の好適なワイヤレスノードを含む。
【００２４】
ワイヤレスネットワーク１００はＭＩＭＯ技術をサポートすることができる。ＭＩＭＯ技術を使用すると、アクセスポイント１１０は、空間分割多元接続（ＳＤＭＡ）を使用して同時に複数のアクセス端末１２０と通信することができる。ＳＤＭＡは、異なる受信機に同時に送信される複数のストリームが、同じ周波数チャネルを共有し、その結果、より高いユーザ容量を提供することを可能にする、多元接続方式である。これは、各データストリームを空間的にプリコードし、次いで、空間的にプリコードされた各ストリームを、ダウンリンク上で異なる送信アンテナを通して送信することによって達成される。空間的にプリコードされたデータストリームは、異なる空間シグナチャとともにアクセス端末に到着し、これにより、各アクセス端末１２０は、そのアクセス端末１２０に宛てられたデータストリームを復元することが可能になる。アップリンク上で、各アクセス端末１２０は、空間的にプリコードされたデータストリームを送信し、これにより、アクセスポイント１１０は、空間的にプリコードされた各データストリームのソースを識別することが可能になる。本明細書では「プリコーディング」という用語を使用するが、概して、データストリームのプリコーディング、符号化、復号および／またはポストコーディングを行うプロセスを包含するために「コーディング」という用語も使用され得ることに留意されたい。
【００２５】
１つまたは複数のアクセス端末１２０は、特定の機能を可能にするために複数のアンテナを装備することができる。この構成では、たとえば、アクセスポイント１１０にある複数のアンテナを使用して複数アンテナアクセスポイントと通信して、追加の帯域幅または送信電力なしにデータスループットを改善することができる。これは、送信機における高データレート信号を、異なる空間シグナチャをもつ複数の低レートデータストリームに分割し、それによって、受信機がこれらのストリームを複数のチャネルに分離し、ストリームを適切に組み合わせて高レートデータ信号を復元することを可能にすることによって達成できる。
【００２６】
以下の開示の部分では、ＭＩＭＯ技術を同じくサポートするアクセス端末について説明するが、アクセスポイント１１０は、ＭＩＭＯ技術をサポートしないアクセス端末をサポートするように構成することもできる。この手法は、より新しいＭＩＭＯアクセス端末が適宜に導入されることを可能にしながら、より古いバージョンのアクセス端末（すなわち、「レガシー」端末）がワイヤレスネットワークに配備されたままであることを可能にし、それらの有効寿命を延長することができる。
【００２７】
以下の発明を実施するための形態では、本開示の様々な態様について、直交周波数分割多重（ＯＦＤＭ（Orthogonal Frequency Division Multiplexing））など、任意の好適なワイヤレス技術をサポートするＭＩＭＯシステムに関して説明する。ＯＦＤＭは、正確な周波数で離間したいくつかのサブキャリアにわたってデータを配信するスペクトル拡散技法である。離間は、受信機がサブキャリアからデータを復元することを可能にする「直交性」を与える。ＯＦＤＭシステムは、ＩＥＥＥ８０２．１１、または何らかの他のエアインターフェース規格を実装することができる。他の好適なワイヤレス技術は、例として、符号分割多元接続（ＣＤＭＡ）、時分割多元接続（ＴＤＭＡ）、または他の好適なワイヤレス技術、あるいは好適なワイヤレス技術の任意の組合せを含む。ＣＤＭＡシステムは、ＩＳ−２０００、ＩＳ−９５、ＩＳ−８５６、Ｗｉｄｅｂａｎｄ−ＣＤＭＡ（ＷＣＤＭＡ（登録商標））、または何らかの他の好適なエアインターフェース規格を実装することができる。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））または何らかの他の好適なエアインターフェース規格を実装することができる。当業者なら容易に諒解するように、本開示の様々な態様は、いかなる特定のワイヤレス技術および／またはエアインターフェース規格にも限定されない。
【００２８】
図２は、ＰＨＹレイヤの信号処理機能の一例を示す概念ブロック図である。送信モードでは、ＴＸデータプロセッサ２０２は、ＭＡＣレイヤからデータを受信し、該データを符号化（たとえば、ターボ符号化）するために使用され、受信ノードにおいて前方誤り訂正（forward error correction(ＦＥＣ))を可能にする。符号化プロセスは、コードシンボルのシーケンスを生じ、それは、ＴＸデータプロセッサ２０２によって、ともにブロック化され、信号コンスタレーションにマッピングされて、変調シンボルのシーケンスが生成される。
【００２９】
本明細書で論じるように、本明細書で説明するシステムおよび手法の様々な態様は、ＭＩＭＯ技術をサポートするワイヤレスネットワークにおいて実装できる。ＭＩＭＯ技術を使用すると、アクセスポイントは、ＳＤＭＡを使用して同時に複数のＳＴＡと通信することができる。ＳＤＭＡは、異なる受信機に同時に送信される複数のストリームが、同じ周波数チャネルを共有し、その結果、より高いユーザ容量を提供することを可能にする、多元接続方式である。これは、各データストリームを空間的にプリコードし、次いで、空間的にプリコードされた各ストリームを、ダウンリンク上で異なる送信アンテナを通して送信することによって達成される。空間的にプリコードされたデータストリームは、異なる空間シグナチャとともにＳＴＡに到着し、これにより、各ＳＴＡは、そのＳＴＡに宛てられたデータストリームを復元することが可能になる。アップリンク上で、各ＳＴＡは、空間的にプリコードされたデータストリームを送信し、これにより、アクセスポイントは、空間的にプリコードされた各データストリームのソースを識別することが可能になる。
【００３０】
ＯＦＤＭを実装するワイヤレスノードでは、ＴＸデータプロセッサ２０２からの変調シンボルはＯＦＤＭ変調器２０４に供給され得る。ＯＦＤＭ変調器２０４は変調シンボルを複数の並列ストリームに分割する。各ストリームは、次いでＯＦＤＭサブキャリアにマッピングされ、次いで逆高速フーリエ変換（ＩＦＦＴ）を使用して合成されて、時間領域ＯＦＤＭストリームを生成する。
【００３１】
ＴＸ空間プロセッサ２０６はＯＦＤＭストリームに対して空間処理を実行する。これは、各ＯＦＤＭストリームを空間的にプリコードし、次いで、トランシーバ２０６を介して、空間的にプリコードされた各ストリームを異なるアンテナ２０８に供給することによって達成できる。各トランシーバ２０６は、ワイヤレスチャネルを介して送信するために、ＲＦキャリアをそれぞれのプリコードされたストリームで変調する。
【００３２】
受信モードでは、各トランシーバ２０５は、そのそれぞれのアンテナ２０８を通して信号を受信する。各トランシーバ２０６は、ＲＦキャリア上に変調された情報を復元し、その情報をＲＸ空間プロセッサ２１０に供給するために使用できる。
【００３３】
ＲＸ空間プロセッサ２１０は、ワイヤレスノード２００に宛てられた任意の空間ストリームを復元するために、情報に対して空間処理を実行する。空間処理は、チャネル相関行列反転（ＣＣＭＩ:Channel Correlation Matrix Inversion）、最小平均２乗誤差（ＭＭＳＥ:Minimum Mean Square Error）、ソフト干渉除去（ＳＩＣ:Soft Interference Cancellation）、または何らかの他の好適な技法に従って実行できる。複数の空間ストリームがワイヤレスノード２００に宛てられた場合、それらはＲＸ空間プロセッサ２１０によって合成できる。
【００３４】
ＯＦＤＭを実装しているワイヤレスノードでは、ＲＸ空間プロセッサ２１０からのストリーム（または合成されたストリーム）はＯＦＤＭ復調器２１２に供給される。ＯＦＤＭ復調器２１２は、高速フーリエ変換（ＦＦＴ）を使用してストリーム（または合成されたストリーム）を時間領域から周波数領域に変換する。周波数領域信号は、ＯＦＤＭ信号のサブキャリアごとに別々のストリームを備える。ＯＦＤＭ復調器２１２は、各サブキャリア上で搬送されたデータ（すなわち、変調シンボル）を復元し、そのデータを変調シンボルのストリームに多重化する。
【００３５】
ＲＸデータプロセッサ２１４は、変調シンボルを信号コンスタレーション中の正しいポイントに戻すために使用できる。ワイヤレスチャネル中の雑音および他の妨害のために、変調シンボルは、元の信号コンスタレーション中のポイントの正確な位置に対応しないことがある。ＲＸデータプロセッサ２１４は、受信されたポイントと信号コンスタレーション中の有効なシンボルの位置との間の最小距離を見つけることによって、送信された可能性が最も高い変調シンボルを検出する。これらの軟判定は、たとえばターボコードの場合、所与の変調シンボルに関連するコードシンボルの対数尤度比（ＬＬＲ）を計算するために使用される。次いで、ＲＸデータプロセッサ２１４は、当初送信されたデータを復号して、ＭＡＣレイヤに供給するために、コードシンボルＬＬＲのシーケンスを使用する。
【００３６】
ＳＤＭＡダウンリンクプロトコルは以下のステップを含むことができる。
【００３７】
（１）  すべての潜在的なＳＤＭＡ受信機からのチャネル状態情報（ＣＳＩ）の要求および受信
（２）  ダウンリンクＳＤＭＡパケットの構築および送信、ならびにブロック確認応答（Acknowledgement（ＡＣＫ））送信時間の指定、ならびに
（３）  ＳＤＭＡ送信受信者局（ＳＴＡ）によるブロックＡＣＫ送信、およびＣＳＩ推定のための方法。
【００３８】
特定のＳＴＡをターゲットにするストリームが、例えば、他のＳＴＡにおいて低電力干渉と見なされるように、空間ストリームは形成されるので、正確なチャネル状態情報を取得することはＳＤＭＡプロトコルの有益な部分である。これらの非干渉ストリームを形成するために、送信ノードは受信ＳＴＡの各々からのＣＳＩを有する必要がある。一態様では、送信ノードは、ＣＳＩを推定する必要があることを示す要求メッセージを送出する。該要求メッセージは、潜在的なＳＤＭＡ送信受信者であるＳＴＡのセットに送信される。このメッセージはトレーニング要求メッセージ（ＴＲＭ）と呼ばれる。本明細書に含まれている開示では、ＳＤＭＡ送信機においてＣＳＩを取得するための２つの例、すなわち、暗黙的ＣＳＩ交換および明示的ＣＳＩ交換が提供される。
【００３９】
ＴＲＭのフォーマットの例は、図３中のＴＲＭ３００によって示される。ＴＲＭ３００のデータ部は、以下の情報を含むＳＴＡ情報フィールド３１８を含んでいる。
【００４０】
（１）  ＳＴＡ−ＩＤフィールド３５２：ＣＳＩを推定すべきＳＴＡ１２０を記載する
（２）  ＃ＳＳフィールド３５４：各ＳＴＡ１２０の空間ストリームの数、および
（３）  レンジング情報フィールド３５６：正確な共同チャネル推定を保証するために、サウンディングシンボルはＡＰ１１０に合った時間に到着することを保証する。
【００４１】
ＴＲＭ３００はまたターゲットＲｘ電力フィールド３１２を含み、ターゲットＲｘ電力フィールド３１２は、ＳＴＡのサウンディングフレームがＡＰ１１０において受信されるべきＲｘ電力である。さらに、ＴＲＭ３００はまた、統合ダウンリンク較正手順のために使用される較正ビット３１４を含む。較正は、ＡＰ１１０が、チャネル推定に適用すべき訂正ファクタを更新することを可能にするために、比較的大きい間隔で実施される。
【００４２】
本開示の一態様では、ＳＴＡ１２０が経路損失を推定しおよびアップリンクサウンディングフレームについての送信電力を設定するためにＴＲＭの送信電力を使用するので、ＴＲＭ３００などの各ＴＲＭは固定の送信電力で送信される。ＴＲＭ３００は、ＤＡ（ブロードキャスト）フィールド３０６においてブロードキャストアドレスに設定される宛先アドレスをもつレガシーＭＡＣヘッダを含む。宛先アドレスはまた、あらかじめ定義されたマルチキャストアドレスに設定できる。各ＴＲＭの送信はバックオフ（back off）・プロシージャを使用して実行され、一態様では、送信は、競合ベースのアクセスのためにＩＥＥＥ８０２．１１ＭＡＣプロトコルにおいて定義されたプロシージャを使用して実行できる。
【００４３】
ＭＡＣヘッダ中の持続時間／ＩＤフィールド３０４は、ＳＤＭＡ送信全体とブロックＡＣＫ受信とが遠方において考慮されるように設定される。本開示の一態様では、ワイヤレスネットワーク１００中のすべてのＳＴＡ１２０がそれらのＮＡＶを適宜に設定することができるように、ＴＲＭ３００などの各ＴＲＭは最低レガシー８０２．１１ａ／ｇレートで送信される。
【００４４】
ＴＲＭ３００に記載されているＳＴＡ１２０の各々がＴＲＭ３００を受信すると、それらはそれぞれＣＳＩで応答する。本開示の様々な態様では、ＳＤＭＡ送信機によってＴＲＭが送信された後、複数の手法を使用してＣＳＩの推定値を与えることができる。
【００４５】
１つの手法では、ＴＲＭ３００に記載されているＳＴＡ１２０の各々がＴＲＭの受信に応答してサウンディングフレームを送信する、暗黙的ＣＳＩフィードバックプロセスが実装される。ＳＤＭＡ送信機は、受信されたサウンディングフレームから、所望のＳＴＡへの共同チャネルを推定する。この場合、チャネルはリバーシブル（reversible）であり、較正が必要であると仮定される。この手法の一例が図４に示されており、そこでは、複数のＳＴＡ４１０−１〜４１０−５が、ＶＨＴ  ＡＰ４０２から送信されたＴＲＭ４０４に応答して、それぞれのサウンディングフレ−ム４１２−１〜４１２−５を送信する。次いで、複数のＳＴＡ４１０−１〜４１０−５の各々へのＳＤＭＡデータ４０８−１〜４０８−５それぞれの送信を保護するために、ＣＴＳ(clear to send）４０６がＶＨＴ  ＡＰ４０２によって送信されると、複数のＳＴＡ４１０−１〜４１０−５は、それぞれのブロック確認応答４１４−１〜４１４−５をそれぞれ送信することができる。
【００４６】
他の態様では、個々の局の保護を強化するために、サウンディングフレームの送信より前に個別のＣＴＳ送信が実行される。２つの別々の手法がある。図５を参照すると、ＶＨＴ  ＡＰ５０２から送信されたＴＲＭ５０４に応答して複数のＳＴＡ５１０−１〜５１０−５から送信された複数のサウンディング送信５１２−１〜５１２−５の保護を強化するために、複数のＣＴＳ５５０−１〜５５０−５が使用されている。図示のように、複数のサウンディング送信５１２−１〜５１２−５が送信される前に、複数のＣＴＳ５５０−１〜５５０−５が同時に送信される。複数のＳＴＡ５１０−１〜５１０−５の各々へのＳＤＭＡデータ５０８−１〜５０８−５それぞれの送信を保護するために、ＣＴＳ(clear to send）５０６がＶＨＴ  ＡＰ５０２によって送信されると、複数のＳＴＡ５１０−１〜５１０−５は、それぞれのブロック確認応答５１４−１〜５１４−５をそれぞれ送信することができる。
【００４７】
図６を参照すると、ＶＨＴ  ＡＰ６０４から送信されたＴＲＭ６０２に応答して複数のＳＴＡ６１２−１〜６１２−５から送信された複数のサウンディング送信６１０−１〜６１０−５の保護を強化するために、複数のＣＴＳ６５０−１〜６５０−５が使用されている。図示のように、複数のサウンディング送信６１２−１〜６１２−５が送信される前に、複数のＣＴＳ６５０−１〜６５０−５が連続的に送信される。次いで、複数のＳＴＡ６１０−１〜６１０−５の各々へのＳＤＭＡデータ６０８−１〜６０８−５それぞれの送信を保護するために、ＣＴＳ６０６がＶＨＴ  ＡＰ６０２によって送信されると、複数のＳＴＡ６１０−１〜６１０−５は、それぞれのブロック確認応答６１４−１〜６１４−５をそれぞれ送信することができる。
【００４８】
別の手法では、図７に示すように、最初に、ＡＰ７０２などのＳＤＭ対応送信機は、ＴＲＭ３００などのＴＲＭ７０４が後に続くサウンディングフレーム７２０を送信する、明示的ＣＳＩフィードバックプロセスが実装される。ＴＲＭ７０４中に含まれているＳＴＡのリストによって識別される各受信機は、サウンディングフレーム７０６を使用してチャネルを計算し、データフレーム中でＣＳＩをＴＲＭ送信機（すなわち、ＡＰ７０２のＳＤＭＡ対応送信機）に返送する。複数のＳＴＡはＳＴＡ７１０−１〜７１０−５として示され、複数のＣＳＩフィードバックはＣＳＩフィードバック７１２−１〜７１２−５として示されている。ＣＴＳフレーム７０６はまた、複数のＳＴＡ７１０−１〜７１０−５の各々へのＳＤＭＡデータ７０８−１〜７０８−５それぞれの送信を保護するために使用される。本開示の一態様では、サウンディングフレーム７２０などのサウンディングフレームは、レガシーシステムとの共存を保持するために、いかなるＴＲＭの一部としても含まれない。
【００４９】
図８に、ＳＤＭＡプリアンブル部８０２および制御情報部８０４〜８２６を含むサウンディングフレーム８００を示す。本開示の一態様では、ＳＤＭＡプリアンブル部８０２の長さは、ＴＲＭ３００中に指定された空間ストリーム割振りによって決定される。制御情報部８０４〜８２６は以下の情報を与える。
【００５０】
（１）  チャネル品質インジケータ（ＣＱＩ：Channel Quality Indicator）フィールド８０４：ＣＱＩフィールド８０４は、受信されたＴＲＭのためのすべてのＲｘアンテナおよびトーンにわたって平均化されたアンテナ当たりの受信ＳＮＲを含む。行列構築設計がＭＭＳＥ基準に基づく場合、この情報は、ＳＤＭＡ送信機がプリコーディング行列を構築することを可能にする。ＣＱＩフィールド８０４中に含まれている情報はまた、ＳＤＭＡ送信機が信号対干渉／雑音比（ＳＩＮＲ）後検出を推定し、各応答ＳＴＡに適切な送信レートを割り当てることを可能にする。本開示の一態様では、ＣＱＩは、沈黙期間中に受信機を囲んでいる周囲雑音のレベルを測定することによって測定できる。
【００５１】
（２）  アップリンクトラフィックバックログフィールド８０６：アップリンクトラフィックバックログフィールド８０６中に含まれている情報は、ＳＤＭＡ送信機がアップリンクトラフィックエポックをスケジュールすること、および／または逆方向グラント（ＲＤＧ（reverse direction grant））を割り当てることを可能にする。アップリンクトラフィックバックログフィールド８０６中に含まれている情報はまた、スケジューラが緊密(tight)なスケジュールを作成し、それによってＭＡＣプロトコルのパフォーマンスを最適化することを可能にする。一態様では、アップリンクトラフィックバックログは、クラスごとに提示され、ＶＯ（ボイス）フィールド、ＶＩ（ビデオ）フィールド、ＢＥ（ベストエフォート）フィールド、およびＢＫ（バックグラウンド）フィールド６１２〜６１８は、４つの例示的な優先順位クラスを示す。ならびに
（３）  電力制御フィールド８２０：電力制御フィールド８２０中に含まれている送信電力情報は、本明細書で説明するＳＴＡによって記入される。
【００５２】
誤り訂正のためのＣＲＣフィールド８２４およびテールフィールド８２６も含まれる。
【００５３】
図９は、本開示の一態様による、装置９００の機能を示す図である。装置９００は、チャネル状態情報からコーディング行列を構築するためのモジュール９０２と、コーディング行列を用いて複数のデータストリームを符号化するためのモジュール９０４と、符号化されたデータストリームを１つまたは複数のノードに送信するためのモジュール９０６とを含む。
【００５４】
図１０は、本開示の一態様による、装置１０００の機能を示す図である。装置１０００は、ＴＲＭを受信するためのモジュール１００２と、ＴＲＭに基づいて応答を生成するためのモジュール１００４と、応答を送信するためのモジュール１００６とを含む。
【００５５】
さらに、本明細書で開示した態様に関して説明した様々な例示的な論理ブロック、モジュール、プロセッサ、手段、回路、およびアルゴリズムステップのいずれかは、電子ハードウェア（たとえば、ソースコーディングまたは何らかの他の技法を使用して設計できる、デジタル実装形態、アナログ実装形態、またはそれら２つの組合せ）、命令を組み込んだ様々な形態のプログラムまたは設計コード（便宜上、本明細書では「ソフトウェア」または「ソフトウェアモジュール」と呼ぶことがある）、あるいは両方の組合せとして実装できることを当業者は諒解されよう。ハードウェアとソフトウェアのこの互換性を明確に示すために、様々な例示的な構成要素、ブロック、モジュール、回路、およびステップを、上記では概してそれらの機能に関して説明した。そのような機能をハードウェアとして実装するか、ソフトウェアとして実装するかは、特定の適用例および全体的なシステムに課される設計制約に依存する。当業者は、説明した機能を特定の適用例ごとに様々な方法で実装することができるが、そのような実装の決定は、本開示の範囲からの逸脱を生じるものと解釈すべきではない。
【００５６】
前述の説明は、いかなる当業者でも本開示の全範囲を完全に理解することができるように提供した。本明細書で開示する様々な構成への変更は当業者には容易に明らかであろう。したがって、特許請求の範囲は、本明細書で説明した本開示の様々な態様に限定されるものではなく、特許請求の言い回しに矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつかの」という語は「１つまたは複数の」を表す。当業者に知られている、または後に知られることになる、本開示全体にわたって説明した様々な態様の要素のすべての構造的および機能的均等物は、参照により本明細書に明白に組み込まれ、特許請求の範囲に包含されるものである。さらに、本明細書に開示したいかなることも、そのような開示が特許請求の範囲に明示的に具陳されているかどうかにかかわらず、公に供するものではない。いかなるクレーム要素も、その要素が「手段」という語句を使用して明確に具陳されていない限り、または方法クレームの場合には、その要素が「ステップ」という語句を使用して具陳されていない限り、米国特許法第１１２条第６項の規定の下で解釈されるべきではない。
以下に、本願出願の当初の特許請求の範囲に記載された発明を付記する。
［Ｃ１］  チャネル状態情報からコーディング行列を構築し、
前記コーディング行列を用いて複数のデータストリームを符号化し、
前記符号化されたデータストリームを１つまたは複数のノードに送信する
ように構成された処理システムを備えるワイヤレス通信のための装置。
［Ｃ２］  前記コーディング行列の前記構築は、
前記１つまたは複数のノードを複数のノードサブセットにグループ化することと、
各ノードサブセットについてコーディング行列を作成することと、
を備える、Ｃ１に記載の装置。
［Ｃ３］  前記送信は、
前記符号化されたデータストリームのうちの少なくとも１つを第１のノードサブセットに送信することと、
前記符号化されたデータストリームのうちの少なくとも１つを第２のノードサブセットに送信することと、
を備え、前記送信は時間期間によって分離される、Ｃ２に記載の装置。
［Ｃ４］  前記複数のノードサブセット中の１つのノードサブセットは、ビームフォーミングを使用して前記装置と通信するように構成された単一のノードを備える、Ｃ１に記載の装置。
［Ｃ５］  前記処理システムは、前記チャネル状態情報を取得するために、前記１つまたは複数のノードと通信するようにさらに構成された、Ｃ１に記載の装置。
［Ｃ６］  前記通信はトレーニング要求メッセージ（ＴＲＭ）を備える、Ｃ５に記載の装置。
［Ｃ７］  前記ＴＲＭは競合ベースのバックオフプロシージャを使用して送信される、Ｃ６に記載の装置。
［Ｃ８］  前記通信の一部分は、前記１つまたは複数のノードが前記装置と通信するためのワイヤレス媒体を予約するために使用される、Ｃ５に記載の装置。
［Ｃ９］  前記通信は、
前記１つまたは複数のノードのそれぞれからサウンディングフレームを受信することと、
前記サウンディングフレームから、前記１つまたは複数のノードのそれぞれについて前記チャネル状態情報を推定することと、
を備えるＣ５に記載の装置。
［Ｃ１０］  前記処理システムは、前記１つまたは複数のノードのそれぞれが当該ノードのチャネル状態情報を推定することを可能にするために、サウンディングフレームを生成するようにさらに構成された、Ｃ５に記載の装置。
［Ｃ１１］  前記処理システムは、前記１つまたは複数のノードのそれぞれから前記チャネル状態情報を受信するようにさらに構成された、Ｃ５に記載の装置。
［Ｃ１２］  前記符号化されたデータストリームの前記送信は、データ送信を完了するために前記ワイヤレス媒体を予約するためのメッセージの後に行われるＣ１に記載の装置。
［Ｃ１３］  前記符号化されたデータストリームの前記送信の一部分は、前記データストリーム送信を完了するために前記ワイヤレス媒体を予約するために使用される、Ｃ１に記載の装置。
［Ｃ１４］  前記符号化されたデータストリームの前記送信の一部分は、前記データストリームおよびＭＣＳの送信を前記１つまたは複数のノードにシグナリングするために使用される、Ｃ１に記載の装置。
［Ｃ１５］  前記処理システムは、前記データストリームの前記送信に続いて、前記１つまたは複数のノードのそれぞれから確認応答（Acknowledgement）を受信するようにさらに構成された、Ｃ１に記載の装置。
［Ｃ１６］  前記１つまたは複数のノードからの前記確認応答は同時に受信される、Ｃ１５に記載の装置。
［Ｃ１７］  前記データストリーム送信の一部分は、前記データストリーム送信に続く、前記１つまたは複数のノードのそれぞれからの前記確認応答の前記送信の送信スケジュールをさらに備える、Ｃ１５に記載の装置。
［Ｃ１８］  前記送信スケジュールは、前記１つまたは複数のノードのそれぞれからの前記確認応答の送信のための時間情報、空間情報および周波数情報のうちの少なくとも１つを備える、Ｃ１７に記載の装置。
［Ｃ１９］  前記処理システムは、前記１つまたは複数のノードのそれぞれに関連する干渉メトリックをも使用することによって前記コーディング行列を構築するようにさらに構成された、Ｃ１に記載の装置。
［Ｃ２０］  チャネル状態情報からコーディング行列を構築する手段と、
前記コーディング行列を用いて複数のデータストリームを符号化する手段と、
前記符号化されたデータストリームを１つまたは複数のノードに送信する手段と、
を備えるワイヤレス通信のための装置。
［Ｃ２１］  前記構築手段は、
前記１つまたは複数のノードを複数のノードサブセットにグループ化する手段と、
各ノードサブセットについてコーディング行列を作成する手段と、
を備える、Ｃ２０に記載の装置。
［Ｃ２２］  前記送信手段は、
前記符号化されたデータストリームのうちの少なくとも１つを第１のノードサブセットに送信する手段と、
前記符号化されたデータストリームのうちの少なくとも１つを第２のノードサブセットに送信する手段と、
を備え、前記送信は時間期間によって分離される、Ｃ２１に記載の装置。
［Ｃ２３］  前記複数のノードサブセット中の１つのノードサブセットは、ビームフォーミングを使用して前記装置と通信するように構成された単一のノードを備える、Ｃ２０に記載の装置。
［Ｃ２４］  前記チャネル状態情報を取得するために前記１つまたは複数のノードと通信する手段をさらに備える、Ｃ２０に記載の装置。
［Ｃ２５］  前記通信手段はトレーニング要求メッセージ（ＴＲＭ）を送信する手段を備える、Ｃ２４に記載の装置。
［Ｃ２６］  前記ＴＲＭは、競合ベースのバックオフプロシージャを使用して送信される、Ｃ２５に記載の装置。
［Ｃ２７］  前記通信の一部分は、前記１つまたは複数のノードが前記装置と通信するためのワイヤレス媒体を予約するために使用される、Ｃ２４に記載の装置。
［Ｃ２８］  前記通信手段は、
前記１つまたは複数のノードのそれぞれからサウンディングフレームを受信する手段と、
前記サウンディングフレームから、前記１つまたは複数のノードのそれぞれの前記チャネル状態情報を推定する手段と、
を備える、Ｃ２４に記載の装置。
［Ｃ２９］  前記１つまたは複数のノードのそれぞれが当該ノードのチャネル状態情報を推定することを可能にするために、サウンディングフレームを生成する手段をさらに備える、Ｃ２４に記載の装置。
［Ｃ３０］  前記１つまたは複数のノードのそれぞれから前記チャネル状態情報を受信する手段をさらに備える、Ｃ２４に記載の装置。
［Ｃ３１］  前記符号化されたデータストリームの前記送信は、データ送信を完了するために前記ワイヤレス媒体を予約するためのメッセージの後に行われる、Ｃ２０に記載の装置。
［Ｃ３２］  前記符号化されたデータストリームの前記送信の一部分は、前記データストリーム送信を完了するために前記ワイヤレス媒体を予約するために使用される、Ｃ２０に記載の装置。
［Ｃ３３］  前記データストリーム送信の一部分は、前記データストリームおよびＭＣＳの送信を前記１つまたは複数のノードにシグナリングするために使用される、Ｃ２０に記載の装置。
［Ｃ３４］  前記データストリームの前記送信に続いて、前記１つまたは複数のノードのそれぞれから確認応答を受信する手段をさらに備える、Ｃ２０に記載の装置。
［Ｃ３５］  前記１つまたは複数のノードからの前記確認応答が同時に受信される、Ｃ３４に記載の装置。
［Ｃ３６］  前記データストリーム送信の一部分は、前記データストリーム送信に続く、前記１つまたは複数のノードのそれぞれからの前記確認応答の前記送信の送信スケジュールをさらに備える、Ｃ３４に記載の装置。
［Ｃ３７］  前記送信スケジュールは、前記１つまたは複数のノードのそれぞれからの前記確認応答の送信のための時間情報、空間情報および周波数情報のうちの少なくとも１つを備える、Ｃ３６に記載の装置。
［Ｃ３８］  前記１つまたは複数のノードのそれぞれに関連する干渉メトリックをも使用することによって前記コーディング行列を構築する手段をさらに備える、Ｃ２０に記載の装置。
［Ｃ３９］  チャネル状態情報からコーディング行列を構築することと、
前記コーディング行列を用いて複数のデータストリームを符号化することと、
前記符号化されたデータストリームを１つまたは複数のノードに送信することと、
を備える、ワイヤレス通信のための方法。
［Ｃ４０］  前記コーディング行列の前記構築は、
前記１つまたは複数のノードを複数のノードサブセットにグループ化することと、
各ノードサブセットについてコーディング行列を作成することと、
を備えるＣ３９に記載の方法。
［Ｃ４１］  前記符号化されたデータストリームのうちの少なくとも１つを第１のノードサブセットに送信することと、
前記符号化されたデータストリームのうちの少なくとも１つを第２のノードサブセットに送信することと、
をさらに備え、前記送信は時間期間によって分離される、Ｃ４０に記載の方法。
［Ｃ４２］  前記複数のノードサブセット中の１つのノードサブセットは、ビームフォーミングを使用して通信するように構成された単一のノードを備える、Ｃ３９に記載の方法。
［Ｃ４３］  前記チャネル状態情報を取得するために前記１つまたは複数のノードと通信することをさらに備える、Ｃ３９に記載の方法。
［Ｃ４４］  トレーニング要求メッセージ（ＴＲＭ）を送信することをさらに備える、Ｃ４３に記載の方法。
［Ｃ４５］  前記ＴＲＭが、競合ベースのバックオフプロシージャを使用して送信される、Ｃ４４に記載の方法。
［Ｃ４６］  前記通信の一部分は、前記１つまたは複数のノードに対しワイヤレス媒体を予約するために使用される、Ｃ４３に記載の方法。
［Ｃ４７］  前記通信は、
前記１つまたは複数のノードのそれぞれからサウンディングフレームを受信することと、
前記サウンディングフレームから、前記１つまたは複数のノードのそれぞれの前記チャネル状態情報を推定することと、
を備える、Ｃ４３に記載の方法。
［Ｃ４８］  前記１つまたは複数のノードのそれぞれが当該ノードのチャネル状態情報を推定することを可能にするために、サウンディングフレームを生成することをさらに備える、Ｃ４３に記載の方法。
［Ｃ４９］  前記１つまたは複数のノードのそれぞれから前記チャネル状態情報を受信することをさらに備える、Ｃ４３に記載の方法。
［Ｃ５０］  前記符号化されたデータストリームの前記送信は、データ送信を完了するために前記ワイヤレス媒体を予約するためのメッセージの後に行われる、Ｃ３９に記載の方法。
［Ｃ５１］  前記符号化されたデータストリームの前記送信の一部分は、前記データストリーム送信を完了するために前記ワイヤレス媒体を予約するために使用される、Ｃ３９に記載の方法。
［Ｃ５２］  前記データストリーム送信の一部分は、前記データストリームおよびＭＣＳの送信を前記１つまたは複数のノードにシグナリングするために使用される、Ｃ３９に記載の方法。
［Ｃ５３］  前記データストリームの前記送信に続いて、前記１つまたは複数のノードのそれぞれから確認応答を受信することをさらに備える、Ｃ３９に記載の方法。
［Ｃ５４］  前記１つまたは複数のノードからの前記確認応答が同時に受信される、Ｃ５３に記載の方法。
［Ｃ５５］  前記データストリーム送信の一部分は、前記データストリーム送信に続く、前記１つまたは複数のノードのそれぞれからの前記確認応答の前記送信の送信スケジュールをさらに備える、Ｃ５３に記載の方法。
［Ｃ５６］  前記送信スケジュールは、前記１つまたは複数のノードのそれぞれからの前記確認応答の送信のための時間情報、空間情報および周波数情報のうちの少なくとも１つを備える、Ｃ５５に記載の方法。
［Ｃ５７］  前記１つまたは複数のノードのそれぞれに関連する干渉メトリックをも使用することによって前記コーディング行列を構築することをさらに備える、Ｃ３９に記載の方法。
［Ｃ５８］  チャネル状態情報からコーディング行列を構築することと、
１つまたは複数のノードに送信するために、前記コーディング行列を用いて複数の空間ストリームを符号化することと、
を実行可能な命令を備える機械可読媒体を備える、通信のためのコンピュータプログラム製品。
［Ｃ５９］  １つまたは複数のアンテナと、
チャネル状態情報からコーディング行列を構築し、前記コーディング行列を用いて複数の空間ストリームを符号化するように構成された処理システムと、
前記１つまたは複数のアンテナを介して、前記符号化された空間ストリームを１つまたは複数のノードに送信するように構成された送信機と、
を備える、アクセスポイント。
［Ｃ６０］  チャネル状態情報からコーディング行列を構築し、前記コーディング行列を用いて複数の空間ストリームを符号化するように構成された処理システムと、
複数のアンテナを通して前記符号化された空間ストリームを送信するように構成された送信機と、
を備える、電子カード。
［Ｃ６１］  ワイヤレス通信のための装置であって、
要求された応答者のリストを備えるＴＲＭを受信し、
前記ＴＲＭに基づいて、要求された応答者の前記リスト中の応答者としての前記装置の識別情報を含む応答を生成し、
前記応答を送信するように構成された処理システムを備える装置。
［Ｃ６２］  前記ＴＲＭはサウンディングフレームの要求を備える、Ｃ６１に記載の装置。
［Ｃ６３］  前記応答は前記サウンディングフレームを備える、Ｃ６２に記載の装置。
［Ｃ６４］  前記要求は複数の送信パラメータを備え、前記サウンディングフレームは前記複数の送信パラメータに基づいて送信される、Ｃ６３に記載の装置。
［Ｃ６５］  前記ＴＲＭはチャネル状態情報の要求を備える、Ｃ６１に記載の装置。
［Ｃ６６］  前記応答の一部分は、前記応答を送信するために使用されるワイヤレス媒体を予約するために使用される、Ｃ６１に記載の装置。
［Ｃ６７］  前記応答は、前記応答を送信するために使用されるワイヤレス媒体を予約するためのＣＴＳフレームの後に行われる、Ｃ６１に記載の装置。
［Ｃ６８］  前記ＴＲＭはサウンディングフレームを備える、Ｃ６１に記載の装置。
［Ｃ６９］  前記処理システムは、
前記サウンディングフレームからチャネル状態情報を推定し、
前記チャネル状態情報を送信する
ようにさらに構成された、Ｃ６８に記載の装置。
［Ｃ７０］  ワイヤレス通信のための装置であって、
要求された応答者のリストを備えるＴＲＭを受信する手段と、
前記ＴＲＭに基づいて、要求された応答者の前記リスト中の応答者としての前記装置の識別情報を含む応答を生成する手段と、
前記応答を送信する手段と、
を備える装置。
［Ｃ７１］  前記ＴＲＭはサウンディングフレームの要求を備える、Ｃ７０に記載の装置。
［Ｃ７２］  前記応答は前記サウンディングフレームを備える、Ｃ７１に記載の装置。
［Ｃ７３］  前記要求は複数の送信パラメータを備え、前記サウンディングフレームは前記複数の送信パラメータに基づいて送信される、Ｃ７２に記載の装置。
［Ｃ７４］  前記ＴＲＭはチャネル状態情報の要求を備える、Ｃ７０に記載の装置。
［Ｃ７５］  前記応答の一部分は、前記応答を送信するために使用されるワイヤレス媒体を予約するために使用される、Ｃ７０に記載の装置。
［Ｃ７６］  前記応答は、前記応答を送信するために使用されるワイヤレス媒体を予約するためのＣＴＳフレームの後に行われる、Ｃ７０に記載の装置。
［Ｃ７７］  前記ＴＲＭはサウンディングフレームを備える、Ｃ７０に記載の装置。
［Ｃ７８］  前記サウンディングフレームからチャネル状態情報を推定する手段と、
前記チャネル状態情報を送信する手段と、
をさらに備える、Ｃ７７に記載の装置。
［Ｃ７９］  ワイヤレス通信のための方法であって、
要求された応答者のリストを備えるＴＲＭを受信することと、
前記ＴＲＭに基づいて、要求された応答者の前記リスト中の応答者の識別情報を含む応答を生成することと、
前記応答を送信することと、
を備える方法。
［Ｃ８０］  前記ＴＲＭはサウンディングフレームの要求を備える、Ｃ７９に記載の方法。
［Ｃ８１］  前記応答は前記サウンディングフレームを備える、Ｃ８０に記載の方法。
［Ｃ８２］  前記要求は複数の送信パラメータを備え、前記サウンディングフレームは前記複数の送信パラメータに基づいて送信される、Ｃ８１に記載の方法。
［Ｃ８３］  前記ＴＲＭはチャネル状態情報の要求を備える、Ｃ７９に記載の方法。
［Ｃ８４］  前記応答の一部分は、前記応答を送信するために使用されるワイヤレス媒体を予約するために使用される、Ｃ７９に記載の方法。
［Ｃ８５］  前記応答は、前記応答を送信するために使用されるワイヤレス媒体を予約するためのＣＴＳフレームの後に行われる、Ｃ７９に記載の方法。
［Ｃ８６］  前記ＴＲＭはサウンディングフレームを備える、Ｃ７９に記載の方法。
［Ｃ８７］  前記サウンディングフレームからチャネル状態情報を推定することと、
前記チャネル状態情報を送信することと、
をさらに備える、Ｃ８６に記載の方法。
［Ｃ８８］  ワイヤレス通信のための方法であって、
要求された応答者のリストを備えるＴＲＭを受信することと、
前記ＴＲＭに基づいて、要求された応答者の前記リスト中の応答者の識別情報を含む応答を生成することと、
前記応答を送信することと、
を実行可能な命令を備える機械可読媒体を備える、通信のためのコンピュータプログラム製品。
［Ｃ８９］  アクセス端末であって、
アンテナと、
前記アンテナを介して、要求された応答者のリストを備えるＴＲＭを受信するように構成された受信機と、
前記ＴＲＭに基づいて、要求された応答者の前記リスト中の応答者としての前記アクセス端末の識別情報を含む応答を生成する処理システムと、
前記応答を送信する送信機と、
を備えるアクセス端末。
【図１】
0005844442.tif 000002
【図２】
0005844442.tif 000003
【図３】
0005844442.tif 000004
【図４】
0005844442.tif 000005
【図５】
0005844442.tif 000006
【図６】
0005844442.tif 000007
【図７】
0005844442.tif 000008
【図８】
0005844442.tif 000009
【図９】
0005844442.tif 000010
【図１０】
0005844442.tif 000011